(57)【要約】【課題】  輸送時の箱強度を確保しつつ、店頭で箱を上下に２分割して展示トレーとして活用する際には容易に開封することができるラップアラウンド型段ボール箱を提供すること。【解決手段】  カットテープ６ａ、６ｂを側面板２ａ，２ｂとその左右の内フラップ５ａ〜５ｄの周方向全幅にわたって貼付し、内フラップの先端縁部にはカットテープの始端部に位置して開封用摘み部８ａ〜８ｄを形成するとともに、上下一対の外フラップ４ａ，４ｃ（４ｂ，４ｄ）の先端側両端部には、開封用摘み部８ａ，８ｃ（８ｂ，８ｄ）と対向する位置に、所定深さと幅からなる切り欠き９をそれぞれ形成し、段ボール箱の組み立て状態において、上下一対の外フラップの先端側端部に形成した切り欠き９，９によって形成される開口部１０から内フラップの先端縁に形成した開封用摘み部８ａ，８ｃ（８ｂ，８ｄ）が外部に露出するようにした。【選択図】      図１
2006096399.tif 000002
【特許請求の範囲】
【請求項１】
天面板と、底面板と、これら天面板と底面板をつなぐ一対の側面板とによって四角状筒体を形成し、該四角状筒体の両端の開口面を天面板と底面板から延設された上下一対の外フラップと側面板から延設された左右一対の内フラップとによって封緘するようにしたラップアラウンド型の段ボール箱において、
上下分割用のカットテープを側面板とその左右の内フラップの周方向全幅にわたって貼付し、
内フラップの先端縁部には前記カットテープの始端部に位置してカットテープを引き出すための開封用摘み部を形成するとともに、
前記上下一対の外フラップの先端側両端部分には所定深さと幅からなる切り欠きをそれぞれ形成し、
段ボール箱の組み立て状態において、前記上下一対の外フラップの上下から向き合う一対の切り欠きによって形成される開口部から前記内フラップの先端縁に形成した開封用摘み部が外部に露出するようにしたことを特徴とする段ボール箱。
【請求項２】
前記開封用摘み部を厚さ方向に圧縮して扁平化したことを特徴とする請求項１記載の段ボール箱。
【発明の詳細な説明】
【技術分野】
【０００１】
本発明は、開封後は陳列用トレーとして使用できる上下分割可能なラップアラウンド型の段ボール箱に関するものである。
【背景技術】
【０００２】
輸送用の包装箱として、天面と底面をそれぞれフラップで封緘するようにしたいわゆるＡ−１型の段ボール箱が従来より使用されているが、収容した製品の強度によって包装強度が確保できるような場合には、Ａ−１型段ボール箱に比べて箱展開面積が小さく、包材費が安価となるラップアラウンド型の段ボール箱が採用されている。
【０００３】
ラップアラウンド型段ボール箱は、天面板と、底面板と、これら天面板と底面板をつなぐ一対の側面板とによって四角状筒体を形成し、該四角状筒体の両端の開口面（褄面）を天面板と底面板から延設された上下一対の外フラップと側面板から延設された左右一対の内フラップとによって封緘するようにしたものである。
【０００４】
このようなラップアラウンド型段ボール箱の場合、箱を上下に２分割することによって下部側をそのまま製品の陳列用トレーとして活用することが可能であり、輸送箱として店頭に持ち込んだ後、箱を上下に２分割し、箱の下部側をそのまま陳列用トレーとして数段積み重ねて店頭陳列することが広く行なわれている（特許文献１〜６参照）。
【０００５】
箱の分割方法としては、カットテープ（別名「テアテープ」）による方法、ミシン目による方法、ライナーカットによる方法などが知られており、開封始端部は、箱の圧縮強度の点から側面板側に設けるよりもフラップによって封緘される開口面（褄面）側に設けるようにしているのが一般的である。
【０００６】
開封始端部をつかむことができるようにするには、外フラップの上下方向の長さを箱高さの１／２よりもかなり短くし、上下一対の外フラップを封緘したときに外フラップ間に大きなすきまができるようにし、このすきまから内フラップ先端縁に設けた開封始端部をつまんで引き出すようにする方法があるが（特許文献５，６参照）、この場合には内フラップが箱高さの１／２よりもかなり短いために上下方向の圧縮力をフラップで受けることができず、箱の圧縮強度が低下する。また、フラップの間に大きなすきまがあるために外部からのゴミやほこりの混入あるいは付着が起こりやすく、好ましくない。
【０００７】
上記問題を解決するには、外フラップの上下方向の長さを箱高さの１／２とし、上下一対の外フラップを封緘したときに上下の外フラップの間にすきまができないようにする方法が考えられるが、このような構造とした場合、箱内に内容物が密に装填されていると内フラップ先端縁に設けた開封始端部をつまみにくくなり、開封作業性が低下する。
【０００８】
また、上記分割方法のうち、カットテープによる方法は、箱の裏面側に樹脂フィルム製のテープを貼付しておき、開封始端部つかんでカットテープを外側へ引っぱり出していくことにより、カットテープに沿って段ボール箱を上下に２分割していくものである。このカットテープによる方法の場合、箱の圧縮強度は確保できるが、コスト的にはカットテープの分だけ費用がアップする。
【０００９】
また、ミシン目による方法は、開封予定部分に箱の表裏を貫いてミシン目をかけておき、開封始端部からミシン目に沿って破っていくことにより上下に２分割するものである。このミシン目による分割方法の場合、箱の圧縮強度はやや低下するが、コストアップはほとんどない。
【００１０】
また、ライナーカットによる方法は、箱の裏面側のライナー部分のみにミシン目加工を施しておき、開封始端部からミシン目に沿って破っていくことにより開封するものである。このライナーカットによる方法の場合、箱の圧縮強度はやや低下するが、コストアップはほとんどない。
【００１１】
【特許文献１】特開平９−２５４９５９号公報（全文、全図）
【特許文献２】特開平９−２０７９３２号公報（全文、全図）
【特許文献３】実公昭５４−３２７４２号公報（全文、全図）
【特許文献４】実公昭５３−９５５９号公報（全文、全図）
【特許文献５】実開昭５２−１６１１７８号公報（全文、全図）
【特許文献６】実公昭５３−５１７号公報（全文、全図）
【発明の開示】
【発明が解決しようとする課題】
【００１２】
ラップアラウンド型段ボール箱の場合、カットテープやミシン目、ライナーカットの部分を最初につかんで引き出すための開封始端部は内フラップの先端縁に形成されるが、開封始端部をつかむことができるようにするには、外フラップの上下方向の長さを箱高さの１／２よりもかなり短くし、上下一対の外フラップを封緘したときに外フラップ間に大きなすき間ができるようにし、このすきまから内フラップ先端縁に設けた開封始端部をつまんで引き出すようにしているのが一般的である。
【００１３】
しかしながら、箱内に収容する製品が四角形状の製品の場合、輸送時に箱内で製品が動いて表面に傷などが生じないようにするために、製品をできるだけすきまなく装填するようにしているが、このように高密度装填した場合には、開封始端部に指が挿入しにくくなり、箱の開封作業がスムーズに行なえないといった不具合があった。
【００１４】
本発明は、上記問題を解決するためになされたもので、輸送時の箱強度を確保しつつ、店頭で箱を上下に２分割して展示トレーとして活用する際には容易に開封することができるラップアラウンド型段ボール箱を提供することを目的とするものである。
【課題を解決するための手段】
【００１５】
上記目的を達成するため、本発明は、天面板と、底面板と、これら天面板と底面板をつなぐ一対の側面板とによって四角状筒体を形成し、該四角状筒体の両端の開口面を天面板と底面板から延設された上下一対の外フラップと側面板から延設された左右一対の内フラップとによって封緘するようにしたラップアラウンド型の段ボール箱において、上下分割用のカットテープを側面板とその左右の内フラップの周方向全幅にわたって貼付し、内フラップの先端縁部には前記カットテープの始端部に位置してカットテープを引き出すための開封用摘み部を形成するとともに、前記上下一対の外フラップの先端側端部には、前記開封用摘み部と対向する位置に、所定深さと幅からなる切り欠きをそれぞれ形成し、段ボール箱の組み立て状態において、前記上下一対の外フラップの先端側端部に形成した切り欠きによって形成される開口部から前記内フラップの先端縁に形成した開封用摘み部が外部に露出するようにしたものである。
【００１６】
なお、前記開封用摘み部は、柔軟性を与えて指でつかみやすくするために、厚さ方向に圧縮して扁平化することが望ましい。
【発明の効果】
【００１７】
本発明によれば、上下一対の外フラップの先端側端部に形成した切り欠きによって形成される開口部から指を入れて開封用摘み部をつかみ出すことができるので、店頭陳列のための段ボール箱の開封作業がきわめて簡単になる。また、段ボール箱の開封作業は、左右のカットテープを引き出す２回の操作で済み、開封作業の効率化も図ることができる。
【００１８】
また、上下一対の外フラップの先端側端部に形成した切り欠きによって開口部を形成するようにしているので、内フラップの先端縁に形成した開封用摘み部付近のみが切り欠きによる開口部によって露出されるだけとなり、収納した製品が必要以上に外気にさらされたり、ゴミが入り込んだりすることを極力防止することができる。
【００１９】
また、開封用摘み部を厚さ方向に圧縮して扁平化することにより、開封用摘み部に柔軟性を与えているので、段ボール箱内に製品が高密度装填されているような場合でも、開封用摘み部を簡単に引き出すことができ、開封作業が容易である。
【００２０】
また、開封用摘み部を内フラップの先端縁部分に設けるとともに、カットテープを利用しているので、四角状筒体を構成する天面板、底面板、側面板の強度が低下するようなことがなく、輸送時と保管時の箱強度を十分に確保することができる。
【発明を実施するための最良の形態】
【００２１】
以下、本発明の実施の形態について図面を参照して説明する。
図１〜図３は本発明に係る段ボール箱の一実施の形態を示すもので、図１は組み立てた状態を示す斜視図、図２は開封途中の状態を示す斜視図、図３は裏面展開図である。
【００２２】
図示例の段ボール箱は、図３に示すように、天面板１、側面板２ａ、底面板３、側面板２ｂが一体に連接されており、天面板１の上下辺には外フラップ４ａ，４ｂが延設されているとともに、底面板３の上下辺には外フラップ４ｃ，４ｄが延設されている。これら外フラップ４ａ〜４ｄの高さｈは、段ボール箱を組み立てた状態において上下のフラップ同士が重なることがないように、段ボール箱の箱高さＨの１／２以下、好ましくは１／２とする。１／２とした場合、上下一対の外フラップを閉じたときに上下の外フラップ同士がぴったりと接するので、箱に作用する上下方向の圧縮力を外フラップで受けることができ、箱の圧縮強度を十分に確保することができる。
【００２３】
側面板２ａの上下辺には内フラップ５ａ，５ｂが延設されているとともに、側面板２ｂの上下辺には内フラップ５ｃ，５ｄが延設されている。これら内フラップ５ａ〜５ｄの高さは、外フラップ４ａ，４ｂと高さｈとほぼ同程度の高さとされている。
【００２４】
内フラップ５ａ、側面板２ａ、内フラップ５ｂの裏面側には、第１のカットテープ６ａが、段ボール箱を上下に２分する位置に、内フラップ５ａ、側面板２ａ、内フラップ５ｂの全幅にわたって貼付されているとともに、内フラップ５ｃ、側面板２ｂ、内フラップ５ｄの裏面側には、第２のカットテープ６ｂが、段ボール箱を上下に２分する位置に、内フラップ５ｃ、側面板２ｂ、内フラップ５ｄの全幅にわたって貼付されている。なお、符号１１は、貼着用の継ぎ代である。
【００２５】
上記構成になる段ボール箱は、上下２分割用のカットテープを備えた従来公知のラップアラウンド型段ボール箱と同じ構造になるものであって、本発明はこのような従来公知のラップアラウンド型段ボール箱において、次のような構造を付加することにより、店頭陳列時における段ボール箱の開封作業をより簡単かつ確実に行なえるようにしたものである。
【００２６】
すなわち、内フラップ５ａ〜５ｄの先端縁の前記カットテープ６ａ，６ｂの始端部に位置して、カットテープ６ａ，６ｂを外側へ引っぱり出すためのミシン目などの二条の切り込み７からなる開封用摘み部８ａ〜８ｄをそれぞれ形成する。
【００２７】
また、外フラップ４ａ〜４ｄのそれぞれには、その先端側両端部分に切り欠き９を形成し、図１に示すように、段ボール箱を組み立てた状態において、上下から向き合う一対の切り欠き９，９によって形成される開口部１０の部分から前記内フラップの先端縁に形成した開封用摘み部が露出し、外部に臨まされるようにする。
【００２８】
前記切り欠き９の大きさは、対向する上下の切り欠き９，９によって形成される開口部１０から指を差し込んで開封用摘み部８ａ〜８ｄを外側へ引っぱり出すことができる大きさとされる。
【００２９】
例えば、箱の横幅Ｌ＝３９２ｍｍ、箱の奥行きＤ＝３１９ｍｍ、箱の高さＨ＝１４４ｍｍ、外フラップ４ａ〜４ｄと内フラップ５ａ〜５ｄのフラップ高さｈ＝７０．５ｍｍ、開封用摘み部８ａ〜８ｄの幅Ｗ＝２２ｍｍとした場合、前記切り欠き９の大きさは、深さａ＝１７．５ｍｍ、幅ｂ＝１０５ｍｍ程度に設定される。
【００３０】
さらに、図示例においては、開封用摘み部８ａ〜８ｄの部分を厚さ方向に圧縮して扁平化することにより、柔軟性を与え、開封用摘み部８ａ〜８ｄを指でつかんで引き出しやすくしている。なお、扁平化するのは開封用摘み部８ａ〜８ｄの部分だけであるので、箱の強度に影響を与えることはない。
【００３１】
上記構造になる段ボール箱を開封するには、次のようにして行なう。
まず最初に、図１の未開封状態において、例えば向かって右側の上下の切り欠き９，９によって形成された開口部１０のすき間から指を差し込み、右側の開封用摘み部８ａをつかみ出す。
【００３２】
そして、図２に示すように、このつかみ出した開封用摘み部８ｂを第１のカットテープ６ａと一緒に外側に向けて引っぱり出していくことにより、段ボール箱の右半部を第１のカットテープ６ｂに沿って上下に分割する。
【００３３】
第１のカットテープ６ａによる分割が終わったら、反対側の開封用摘み部８ｄをつかみ出し、つかみ出した開封用摘み部８ｂを第２のカットテープ６ｂと一緒に外側に向けて引っぱり出していくことにより、段ボール箱の残り左半部を第２のカットテープ６ｂに沿って上下に分割する。
【００３４】
以上のようにして段ボール箱が上下に分割されて切り離されたら、切り離された上側の段ボール箱の部分を取り除く。これによって、下側の段ボール箱の部分がそのまま製品を乗せた陳列用トレーとなる。したがって、この製品を乗せた状態の陳列用トレーを必要な段数積み重ねることにより、そのまま店頭陳列することができる。
【００３５】
上記実施の形態に係る段ボール箱の場合、対向する上下一対の切り欠き９，９によって開封用摘み部８ａ〜８ｄの部分に開口部１０を形成し、この開口部１０のすき間から指を差し込んで開封用摘み部８ａ〜８ｄを引き出すようにしているので、開封作業がきわめて簡単となる。
【００３６】
また、開封用摘み部８ａ〜８ｄを厚さ方向に圧縮して扁平化することにより、開封用摘み部８ａ〜８ｄに柔軟性を与えているので、簡単に引き出すことができる。
【００３７】
また、開封作業に際しては、第１のカットテープ６ａと第２のカットテープ６ａを引き出して行けばよいので、開封作業は２回の操作で済み、開封作業の効率化を図ることができる。
【００３８】
さらに、開封用摘み部８ａ〜８ｄを内フラップ５ａ〜５ｄの先端縁部分に設けるとともに、切断手段としてカットテープ６ａ、６ｂを利用しているので、四角状筒体を構成する天面板１、底面板３、側面板２ａ、２ｂの強度が低下するようなことがなく、輸送時と保管時の箱強度を十分に確保することができる。
【００３９】
なお、上記実施の形態では、開封用摘み部を内フラップ５ａ〜５ｄの４個所に形成し、４個所のどの開封用摘み部８ａ〜８ｄからでもカットテープ６ａ，６ｂを引き出せるようにしたが、これに限られるものではなく、一方の褄面側の内フラップにのみ開封用摘み部を形成し、あるいは一方の側の褄面の内フラップに第１のカットテープ６ａの開封用摘み部を形成するとともに、他方の側の褄面の内フラップに第２のカットテープ６ｂ用の開封用摘み部を形成し、カットテープ６ａ、６ｂをいずれか一方の始端部のみから引き出すように構成してもよいものである。この場合には、開口部１０を形成するための切り欠き９は、開封用摘み部と対向する外フラップの先端側端部にのみ形成すればよい。
【図面の簡単な説明】
【００４０】
【図１】本発明の一実施の形態に係る段ボール箱の組立状態を示す斜視図である。
【図２】上記実施の形態に係る段ボール箱の開封途中の状態を示す斜視図である。
【図３】上記実施の形態に係る段ボール箱の裏面展開図である。
【符号の説明】
【００４１】
１            天面板
２ａ，２ｂ    側面板
３            底面板
４ａ〜４ｄ    外フラップ
５ａ〜５ｂ    内フラップ
６ａ，６ｂ    カットテープ
７            切り込み
８ａ〜８ｄ    開封用摘み部
９            切り欠き
１０          開口部
１１          継ぎ代
【図１】
2006096399.tif 000003
【図２】
2006096399.tif 000004
【図３】
2006096399.tif 000005